(57)【要約】【課題】ハウジングやレンズ、ミラーなどの製作上の精度やその誤差に対応して、被走査面上における光ビーム照射位置のずれを補正することが可能な走査光学装置を提供する。【解決手段】走査光学装置２０は、光ビームであるレーザ光を照射する光源２２と、この光源２２からのレーザ光を主走査方向に偏向する光偏向器４０と、この光偏向器４０からのレーザ光を被走査面上に導く光学系５０とを備える。そして、光偏向器４０の光進行方向下流側の光路上に、光ビームの主走査方向と平行な軸線中心に回転可能な、単一の光透過性平板部材である平板ガラス２４を設けた。これにより、平板ガラス２４の光進行方向上流側と下流側とで、光軸を平行にずらすことが可能になる。したがって、光学系のレンズやミラーに対して、光ビームを入射させる場所を移動させることができる。【選択図】図６
2008122867.tif 000002
【特許請求の範囲】
【請求項１】
光ビームを照射する光源と、この光源からの光ビームを主走査方向に偏向する光偏向器と、この光偏向器からの光ビームを被走査面上に導く光学系とを備えた走査光学装置において、
前記光偏向器の光進行方向上流側、または下流側の光路上に、光ビームの主走査方向と平行な軸線中心に回転可能な、単一の光透過性平板部材を設けたことを特徴とする走査光学装置。
【請求項２】
前記光偏向器の光進行方向上流側の光路上に、光ビームの主走査方向と平行な軸線中心に回転可能な、角度調整ミラーを設けたことを特徴とする請求項１に記載の走査光学装置。
【請求項３】
請求項１または請求項２に記載の走査光学装置を搭載したことを特徴とする画像形成装置。
【発明の詳細な説明】
【技術分野】
【０００１】
本発明は、複写機やプリンタ、ファクシミリといった画像形成装置に搭載され、像担持体の表面を光ビーム（例えばレーザ光）で露光走査するための走査光学装置に関する。また、この走査光学装置を搭載した、複写機やプリンタに代表される電子写真方式の画像形成装置に関する。
【背景技術】
【０００２】
複写機やプリンタ等に用いられる走査光学装置は、一般的に、感光体ドラムに代表される像担持体の表面、すなわち被走査面上を走査しながら露光し、感光体ドラム表面に所定の静電潜像を形成するものである。走査光学装置において、光源から照射される、例えばレーザ光のような光ビームは、光偏向器によって主走査方向に偏向され、光学系によって被走査面に向けて出射される。
【０００３】
詳細には、走査光学装置は、一般的に、レーザダイオードなどといった光源を備え、光源から照射されたレーザ光は、光偏向器であるポリゴンミラーに入射する。ポリゴンミラーは、その反射面でレーザ光を反射し、主走査方向に偏向する。主走査方向に偏向された各レーザ光は、続いてｆθレンズによって感光体ドラムの軸線方向に平行に等速度偏向され、反射ミラーを介して、感光体ドラム表面に向かって出射され、結像される。
【０００４】
このような走査光学装置においては、走査光学装置本体のハウジングやレンズ、ミラーなどの製作上の精度やその誤差に起因して、被走査面上での光ビームのスポット径や照射位置が意図せずずれてしまうといった問題が発生する。そこで、この問題を解決すべく、被走査面上での光ビームの照射位置を調整する様々な手法が提案され、その一例を特許文献１に見ることができる。特許文献１に記載された光走査装置（走査光学装置）は、２枚の平板ガラスを用いることにより、光ビームの結像位置を光進行方向に移動させ、スポット径を調整するというものである。
【特許文献１】特開平４−２８７０１１号公報（第３−４頁、図１）
【発明の開示】
【発明が解決しようとする課題】
【０００５】
特許文献１に記載された光走査装置（走査光学装置）は、対向する２枚の平板ガラスを副走査方向と直角をなす軸線で回転させることにより、光ビームの結像位置を光進行方向に対して前後に移動させ、スポット径の調整、変更を行うので、本体のハウジングやレンズ、ミラーなどの製作上の精度やその誤差に対応できる。しかしながら、この方法では、光ビームの結像位置を光進行方向に移動させることは可能であるが、光進行方向と直角をなす方向に移動させることはできない。これにより、レンズやミラーに対して、光ビームを入射させる場所に不都合が生じた場合には、この方法では対応することができない。したがって、被走査面上における光ビーム照射位置のずれを補正することができず、高画質な画像形成が実現できなくなる可能性がある。
【０００６】
本発明は上記の点に鑑みなされたものであり、走査光学装置のハウジングやレンズ、ミラーなどの製作上の精度やその誤差に対応して、被走査面上における光ビーム照射位置のずれを補正することができ、高品質の画像を得ることが可能な走査光学装置を提供することを目的とする。また、このような走査光学装置を搭載した高性能な画像形成装置を提供することを目的とする。
【課題を解決するための手段】
【０００７】
上記の課題を解決するため、本発明は、光ビームを照射する光源と、この光源からの光ビームを主走査方向に偏向する光偏向器と、この光偏向器からの光ビームを被走査面上に導く光学系とを備えた走査光学装置において、前記光偏向器の光進行方向上流側、または下流側の光路上に、光ビームの主走査方向と平行な軸線中心に回転可能な、単一の光透過性平板部材を設けることとした。
【０００８】
また、上記構成の走査光学装置において、前記光偏向器の光進行方向上流側の光路上に、光ビームの主走査方向と平行な軸線中心に回転可能な、角度調整ミラーを設けることとした。
【０００９】
また本発明では、上記走査光学装置を画像形成装置に搭載することとした。
【発明の効果】
【００１０】
本発明の構成によれば、光ビームを照射する光源と、この光源からの光ビームを主走査方向に偏向する光偏向器と、この光偏向器からの光ビームを被走査面上に導く光学系とを備えた走査光学装置において、光偏向器の光進行方向上流側、または下流側の光路上に、光ビームの主走査方向と平行な軸線中心に回転可能な、単一の光透過性平板部材を設けることとしたので、光透過性平板部材の光進行方向上流側と下流側とで、光軸を平行にずらすことが可能になる。これにより、光学系のレンズやミラーに対して、光ビームを入射させる場所を移動させることができる。したがって、走査光学装置のハウジングやレンズ、ミラーなどの製作上の精度やその誤差に対応して、被走査面上における光ビーム照射位置のずれを補正することができ、高品質の画像を得ることが可能な走査光学装置を提供することができる。
【００１１】
また、前記光偏向器の光進行方向上流側の光路上に、光ビームの主走査方向と平行な軸線中心に回転可能な、角度調整ミラーを設けることとしたので、角度調整ミラーの光進行方向上流側と下流側とで、光軸の角度を変更することが可能になる。これにより、光学系のレンズやミラーに対して、光ビームの入射角を調整することができる。したがって、走査光学装置のハウジングやレンズ、ミラーなどの製作上の精度やその誤差に対応して、被走査面上における光ビーム照射位置のずれを補正することができるのに加えて、さらに光ビームの照射角度をも調整することができ、画像の高品質化がより一層高められた走査光学装置を提供することができる。
【００１２】
また本発明では、上記走査光学装置を画像形成装置に搭載することとしたので、走査光学装置のハウジングやレンズ、ミラーなどの製作上の精度やその誤差に対応して、被走査面上における光ビーム照射位置のずれを補正することができ、高品質の画像を得ることが可能な高性能な画像形成装置を提供することができる。
【発明を実施するための最良の形態】
【００１３】
以下、本発明の実施形態を図１〜図７に基づき説明する。
【００１４】
最初に、本発明の実施形態に係る走査光学装置を搭載した画像形成装置について、図１を用いてその構造の概略を説明しつつ、画像出力動作を説明する。図１は、画像形成装置の模型的垂直断面正面図である。この画像形成装置は、中間転写ベルトを用いてトナー像を用紙に転写するカラー印刷タイプのものである。
【００１５】
図１に示すように、画像形成装置１の本体２の内部下方には、用紙カセット３が配置されている。用紙カセット３は、その内部に、印刷前のカットペーパー等の用紙Ｐを積載して収容している。そして、この用紙Ｐは、図１において用紙カセット３の左上方に向けて、１枚ずつ分離されて送り出される。用紙カセット３は、本体２の前面側から水平に引き出すことが可能である。
【００１６】
本体２の内部であって、用紙カセット３の左方には、第１用紙搬送部４が備えられている。第１用紙搬送部４は、本体２の左側面に沿って略垂直に形設されている。そして、第１用紙搬送部４は、用紙カセット３から送り出された用紙Ｐを受け取り、本体２の左側面に沿って垂直上方に二次転写部９まで搬送する。
【００１７】
用紙カセット３の上方であって、第１用紙搬送部４が形設された本体２の左側面とは反対側の側面である右側面の箇所には、手差し給紙部５が備えられている。手差し給紙部５には、用紙カセット３に入っていないサイズの用紙Ｐや、厚紙、ＯＨＰシートのように１枚ずつ送り込みたいものが載置される。
【００１８】
手差し給紙部５の左方には、第２用紙搬送部６が備えられている。第２用紙搬送部６は、用紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙Ｐ等を受け取り、略水平に第１用紙搬送部４まで搬送する。
【００１９】
一方、画像形成装置１は、外部コンピュータ（図示せず）から原稿画像データを受信する。この画像データの情報は、第２用紙搬送部６の上方に配置された露光手段である走査光学装置２０に送られる。走査光学装置２０により、画像データに基づいて制御されたレーザ光Ｌが、画像形成部３０に向かって照射される。
【００２０】
走査光学装置２０の上方には計４台の画像形成部３０が、さらにそれら各画像形成部３０の上方には中間転写体を無端ベルトの形で用いた中間転写ベルト７が備えられている。中間転写ベルト７は、複数のローラに巻き掛けられて支持され、図示しない駆動装置により図１において時計方向に回転する。
【００２１】
４台の画像形成部３０は、図１に示すように、中間転写ベルト７の回転方向に沿って、回転方向上流側から下流側に向けて一列にして配置された所謂タンデム方式である。４台の画像形成部３０とは、上流側から順に、イエロー用の画像形成部３０Ｙ、マゼンタ用の画像形成部３０Ｍ、シアン用の画像形成部３０Ｃ、及びブラック用の画像形成部３０Ｂである。これらの画像形成部３０には、各色に対応する現像剤供給容器及び搬送手段（図示せず）により、現像剤（トナー）が補給される。なお、以下の説明において、特に限定する必要がある場合を除き、「Ｙ」「Ｍ」「Ｃ」「Ｂ」の識別記号は省略するものとする。
【００２２】
各画像形成部３０では、露光手段である走査光学装置２０によって照射されたレーザ光Ｌにより原稿画像の静電潜像が形成され、この静電潜像からトナー像が現像される。トナー像は、各画像形成部３０の上方に備えられた一次転写部８で、中間転写ベルト７表面に一次転写される。そして、中間転写ベルト７の回転とともに、所定のタイミングで各画像形成部３０のトナー像が中間転写ベルト７に転写されることにより、中間転写ベルト７表面にはイエロー、マゼンタ、シアン、ブラックの４色のトナー像が重ね合わされたカラートナー像が形成される。
【００２３】
中間転写ベルト７が用紙搬送路に懸かる箇所には、二次転写部９が配置されている。中間転写ベルト７表面のカラートナー像は、第１用紙搬送部４によって同期をとって送られてきた用紙Ｐに、二次転写部９に形成される二次転写ニップ部で転写される。
【００２４】
二次転写後、中間転写ベルト７表面に残留するトナーなどの付着物は、中間転写ベルト７に対してイエロー用の画像形成部３０Ｙの回転方向上流側に設けられた中間転写ベルト７用のクリーニング装置１０によってクリーニング、回収される。
【００２５】
二次転写部９の上方には、定着部１１が備えられている。二次転写部９にて未定着トナー像を担持した用紙Ｐは、定着部１１へと送られ、熱ローラと加圧ローラとによりトナー像が加熱、加圧されて定着される。
【００２６】
定着部１１の上方には、分岐部１２が備えられている。定着部１１から排出された用紙Ｐは、両面印刷を行わない場合、分岐部１２から画像形成装置１の上部に設けられた用紙排出部１３に排出される。
【００２７】
分岐部１２から用紙排出部１３に向かって用紙Ｐが排出されるその排出口部分は、スイッチバック部１４としての機能を果たす。両面印刷を行う場合には、このスイッチバック部１４において、定着部１１から排出された用紙Ｐの搬送方向が切り替えられる。そして、用紙Ｐは、分岐部１２、定着部１１の左方、及び二次転写部９の左方を通って下方に送られ、再度第１用紙搬送部４を経て二次転写部９へと送られる。
【００２８】
続いて、画像形成装置１の走査光学装置２０について、図２及び図３を用いてその構造の概略を説明する。図２は走査光学装置の模型的垂直断面正面図、図３は走査光学装置の模型的上面図である。なお、この走査光学装置２０は、前述のように、イエロー、マゼンタ、シアン、ブラックの４色各々に対応した４個の感光体ドラムが備えられたタンデム型の画像形成装置１に搭載するべく設計されたものである。
【００２９】
走査光学装置２０は、図２及び図３に示すように、ハウジング２１の内側に、光源２２、光偏向器４０、光学系５０、光センサ２３、光透過性平板部材である平板ガラス２４、及び角度調整ミラー２５を備えている。
【００３０】
光源２２は、図３に示すように、ハウジング２１内の一端に備えられている。走査光学装置２０は、イエロー、マゼンタ、シアン、ブラックの４色に対応したものであって、光源２２も独立した４個が設けられている。光源２２は、可視領域の光ビーム、例えば６７０ｎｍ程度のレーザ光を照射する仕様のレーザダイオードで構成されている。
【００３１】
光源２２の近傍には、光偏向器４０が備えられている。光偏向器４０は、ポリゴンミラー４１と、モータ４２とで構成されている。モータ４２は、図２において垂直方向の軸線中心に、正多角形の平面形状をなすポリゴンミラー４１を回転駆動するものである。その軸線中心に回転するポリゴンミラー４１の周囲には、光を反射する反射面が設けられている。
【００３２】
４個の光源２２から照射されたレーザ光ＬＹ、ＬＭ、ＬＣ、ＬＢは、各々、副走査方向（図２の上下方向）に微小角度ずつずれた状態でポリゴンミラー４１周囲の反射面に入射する。ポリゴンミラー４１は、回転しながら、その反射面で各レーザ光を反射し、主走査方向（図３の左右方向）に偏向しつつ、ハウジング２１内の他端に向けて導く。
【００３３】
光学系５０は、ハウジング２１内の、光偏向器４０にて反射されたレーザ光が進む先の領域に備えられている。光学系５０は、第１ｆθレンズ５１、第２ｆθレンズ５２、及び反射ミラー５３を備えている。
【００３４】
第１ｆθレンズ５１は、光偏向器４０にて反射されたレーザ光ＬＹ、ＬＭ、ＬＣ、ＬＢが進む、そのすぐ先の箇所に配置されている。第１ｆθレンズ５１は、レーザ光ＬＹ、ＬＭ、ＬＣ、ＬＢに対して共用ものであって、１個備えられている。この第１ｆθレンズ５１では、各レーザ光ＬＹ、ＬＭ、ＬＣ、ＬＢが主走査方向において等速度に偏向される。さらに第１ｆθレンズ５１は、ポリゴンミラー４１へのレーザ光ＬＹ、ＬＭ、ＬＣ、ＬＢの入射角や、ポリゴンミラー４１の面倒れ等といった走査上の悪影響を補正しながら、各レーザ光ＬＹ、ＬＭ、ＬＣ、ＬＢの副走査方向の角度を若干広げる。
【００３５】
第１ｆθレンズ５１を通過したイエロー用のレーザ光ＬＹは、ハウジング２１の内底面近傍の反射ミラー５３Ｙａで反射し、第１ｆθレンズ５１の方向に折り返される。その後、レーザ光ＬＹは、第２ｆθレンズ５２Ｙを通過し、ハウジング２１の上端近傍の反射ミラー５３Ｙｂにて反射され、被走査面であるイエロー用の感光体ドラム３１Ｙ表面に到達、結像される。
【００３６】
第１ｆθレンズ５１を通過したマゼンタ用のレーザ光ＬＭも、イエロー用のレーザ光ＬＹと同様に、ハウジング２１の内底面近傍の反射ミラー５３Ｍａで反射し、第１ｆθレンズ５１の方向に折り返される。その後、レーザ光ＬＭは、第２ｆθレンズ５２Ｍを通過し、ハウジング２１の上端近傍の反射ミラー５３Ｍｂにて反射され、被走査面であるマゼンタ用の感光体ドラム３１Ｍ表面に到達、結像される。
【００３７】
第１ｆθレンズ５１を通過したシアン用のレーザ光ＬＣは、ハウジング２１の内底面近傍の反射ミラー５３Ｃａで略垂直上方に向かって反射され、続いてハウジング２１の上端近傍の反射ミラー５３Ｃｂで略水平方向に、第１ｆθレンズ５１の方向に折り返される。その後、レーザ光ＬＣは、第２ｆθレンズ５２Ｃを通過し、反射ミラー５３Ｃｃにて反射され、被走査面であるシアン用の感光体ドラム３１Ｃ表面に到達、結像される。
【００３８】
第１ｆθレンズ５１を通過したブラック用のレーザ光ＬＢは、反射ミラーを介すことなく直接第２ｆθレンズ５２Ｂを通過する。その後、レーザ光ＬＢは、反射ミラー５３Ｂにて反射され、被走査面であるブラック用の感光体ドラム３１Ｂ表面に到達、結像される。
【００３９】
光センサ２３は、図２に示すように、反射ミラー５３Ｙａ、及び第２ｆθレンズ５２Ｍの近傍であって、主走査方向の外側寄りの箇所に配置されている。光センサ２３は、光偏向器４０のポリゴンミラー４１にて反射されたレーザ光のうち、被走査面の有効露光領域外のものを受光する。光センサ２３が受光するレーザ光は、第２ｆθレンズ５２Ｂの近傍に備えられた反射ミラー２６で、光センサ２３に向かって反射される。光センサ２３は、４色各々に対応したレーザ光ＬＹ、ＬＭ、ＬＣ、ＬＢの走査タイミングを計るための同期検知センサであって、ＢＤセンサと呼ばれる。
【００４０】
ここで、図１及び図２に示すように、光偏向器４０の光進行方向のすぐ下流側には、その光路上に光透過性平板部材である平板ガラス２４が備えられている。また、光偏向器４０の光進行方向のすぐ上流側には、その光路上に角度調整ミラー２５が備えられている。
【００４１】
続いて、これら平板ガラス２４、及び角度調整ミラー２５の構成について、図２及び図３に加えて、図４〜図７を用いて詳細に説明する。図４は平板ガラスとその支持部材を示す概略斜視図、図５は図２の平板ガラスの箇所を示す部分拡大正面図、図６は図５と同様の平板ガラスの箇所を示す部分拡大正面図にして、平板ガラスを回転させた状態を示すもの、図７は角度調整ミラー周辺の斜視図である。
【００４２】
光透過性平板部材である平板ガラス２４は、図３及び図４に示すように、光の入射面と出射面とが平行をなし、レーザ光の主走査方向に長く延びる直方体形状のガラス部材である。平板ガラス２４は、前述のように、光偏向器４０の光進行方向のすぐ下流側であって、第１ｆθレンズ５１との間に、１個のみ配置されている。光偏向器４０のポリゴンミラー４１で反射した光は、平板ガラス２４を通過して、第１ｆθレンズ５１に到達する。
【００４３】
平板ガラス２４は、図４に示すように、軸状支持部材２４ａの軸線方向端部の一方から突出する形で、軸状支持部材２４ａに取り付けられている。この軸状支持部材２４ａは、軸線がレーザ光の主走査方向と平行をなしている。
【００４４】
ハウジング２１の平板ガラス２４に対応する箇所には、図５に示すように、受け部２１ａが設けられている。受け部２１ａは、軸状支持部材２４ａを受け入れる大きさをなし、その上面が軸状支持部材２４ａの周面の形状に合わせて、複数箇所で線接触するような形状で構成されている。
【００４５】
ハウジング２１の受け部２１ａに、上方から平板ガラス２４を備える軸状支持部材２４ａを配置した後、軸状支持部材２４ａの上方には板ばね部材２７が配置される。板ばね部材２７は、ハウジング２１に一端が固定され、他端側にて軸状支持部材２４ａを下方に、すなわちその周面を受け部２１ａを押し付けるように弾発力が作用している。これにより、平板ガラス２４は、受け部２１ａの形状でもってその位置決めがなされる。
【００４６】
軸状支持部材２４ａの上部には、ツマミ２４ｂが設けられている。このツマミ２４ｂを手で持ち、軸状支持部材２４ａを受け部２１ａ内で滑らせるようにして回転させることにより、平板ガラス２４を、レーザ光の主走査方向と平行な、軸状支持部材２４ａの軸線を中心として回転させることができる。
【００４７】
このようにして、レーザ光のような光ビームを照射する光源２２と、この光源からの光ビームを主走査方向に偏向する光偏向器４０と、この光偏向器４０からの光ビームを被走査面上に導く光学系５０とを備えた走査光学装置２０において、光偏向器４０の光進行方向下流側の光路上に、光ビームの主走査方向と平行な軸線中心に回転可能な、単一の光透過性平板部材である平板ガラス２４を設けたので、図６に示すように、平板ガラス２４の光進行方向上流側と下流側とで、光軸を平行にずらすことが可能になる。これにより、光学系のレンズやミラーに対して、光ビームを入射させる場所を移動させることができる。したがって、走査光学装置２０のハウジング２１やレンズ、ミラーなどの製作上の精度やその誤差に対応して、被走査面上における光ビーム照射位置のずれを補正することができ、高品質の画像を得ることが可能な走査光学装置２０を提供することができる。
【００４８】
なお、本実施形態では、平板ガラス２４を、光偏向器４０の光進行方向下流側の光路上に配置しているが、光偏向器４０の上流側に配置することとしても、上記と同様の作用、効果を得ることが可能である。
【００４９】
一方、角度調整ミラー２５は、前述のように、光偏向器４０の光進行方向のすぐ上流側に配置されている（図３参照）。そして、角度調整ミラー２５は、光源２２から出射されたレーザ光Ｌを反射してポリゴンミラー４１に導いている（図７参照）。
【００５０】
角度調整ミラー２５は、前記平板ガラス２４と同様の構成、配置方法が適用されている。すなわち、角度調整ミラー２５は、図７に示すように、軸状支持部材２５ａの軸線方向端部の一方から突出する形で、軸状支持部材２５ａに取り付けられている。この軸状支持部材２５ａは、周面に２箇所の平面部を有する軸形状で構成され、軸線がレーザ光の主走査方向と平行をなしている。
【００５１】
ハウジング２１の角度調整ミラー２５に対応する箇所には、受け部２１ｂが設けられている。受け部２１ｂは、軸状支持部材２５ａを受け入れる大きさをなし、その一部が軸状支持部材２５ａの周面の形状に合わせて、複数箇所で線接触するような形状で構成されている。
【００５２】
ハウジング２１の受け部２１ａに、上方から角度調整ミラー２５を備える軸状支持部材２５ａを配置した後、軸状支持部材２５ａの上方には板ばね部材２８が配置される。板ばね部材２８は、ハウジング２１に一端が固定され、他端側にて軸状支持部材２５ａを下方に、すなわちその周面を受け部２１ｂを押し付けるように弾発力が作用している。これにより、角度調整ミラー２５は、受け部２１ｂの形状でもってその位置決めがなされる。
【００５３】
軸状支持部材２５ａの上部には、ツマミ２５ｂが設けられている。このツマミ２５ｂを手で持ち、軸状支持部材２５ａを受け部２１ｂ内で滑らせるようにして回転させることにより、角度調整ミラー２５を、レーザ光の主走査方向と平行な、軸状支持部材２５ａの軸線を中心として回転させることができる。
【００５４】
このようにして、光偏向器４０の光進行方向上流側の光路上に、光ビームの主走査方向と平行な軸線中心に回転可能な、角度調整ミラー２５を設けたので、角度調整ミラー２５の光進行方向上流側と下流側とで、光軸の角度を変更することが可能になる。これにより、光学系５０のレンズやミラーに対して、光ビームの入射角を調整することができる。したがって、走査光学装置２０のハウジング２１やレンズ、ミラーなどの製作上の精度やその誤差に対応して、被走査面上における光ビーム照射位置のずれを補正することができるのに加えて、さらに光ビームの照射角度をも調整することができ、画像の高品質化がより一層高められた走査光学装置２０を提供することができる。
【００５５】
また本発明では、上記走査光学装置２０を画像形成装置１に搭載したので、走査光学装置２０のハウジング２１やレンズ、ミラーなどの製作上の精度やその誤差に対応して、被走査面上における光ビーム照射位置のずれを補正することができ、高品質の画像を得ることが可能な高性能な画像形成装置１を提供することができる。
【００５６】
以上、本発明の実施形態につき説明したが、本発明の範囲はこれに限定されるものではなく、発明の主旨を逸脱しない範囲で種々の変更を加えて実施することができる。
【００５７】
例えば、上記実施形態において、平板ガラス２４及び角度調整ミラー２５は、手動によってレーザ光の主走査方向と平行な軸線を中心として回転させることとしたが、駆動装置を設け、自動的に回転させることとしても構わない。
【産業上の利用可能性】
【００５８】
本発明は、走査光学装置全般において利用可能である。
【図面の簡単な説明】
【００５９】
【図１】本発明の実施形態に係る走査光学装置を搭載した画像形成装置の模型的垂直断面正面図である。
【図２】図１に示す走査光学装置の模型的垂直断面正面図である。
【図３】図２に示す走査光学装置の模型的上面図である。
【図４】図３の平板ガラスとその支持部材を示す概略斜視図である。
【図５】図２の平板ガラスの箇所を示す部分拡大正面図である。
【図６】図５と同様の平板ガラスの箇所を示す部分拡大正面図にして、平板ガラスを回転させた状態を示すものである。
【図７】図３に示す角度調整ミラー周辺の斜視図である。
【符号の説明】
【００６０】
１    画像形成装置
２０  走査光学装置
２１  ハウジング
２２  光源
２３  光センサ
２４  平板ガラス（光透過性平板部材）
２４ａ  軸状支持部材
２５  角度調整ミラー
２５ａ  軸状支持部材
４０  光偏向器
５０  光学系
【図１】
2008122867.tif 000003
【図２】
2008122867.tif 000004
【図３】
2008122867.tif 000005
【図４】
2008122867.tif 000006
【図５】
2008122867.tif 000007
【図６】
2008122867.tif 000008
【図７】
2008122867.tif 000009